(57)【要約】【課題】移動局ＵＥがＣＡを行っているか否かに関わらず、ＬＴＥ方式において所望するシステム性能を実現する。【解決手段】本発明に係る移動通信システムは、移動局ＵＥは、所定期間ＴＩｄｅｎｔｉｆｙ_Ｉｎｔｅｒ内に、無線基地局ｅＮＢによって指定された測定ギャップにおいて、無線基地局ｅＮＢによって指定された測定対象の周波数のＣＣが用いられているセルを検出するように構成されており、移動局ＵＥが、ＣＡを行っていない場合には、所定期間ＴＩｄｅｎｔｉｆｙ_Ｉｎｔｅｒは、測定対象の周波数のＣＣの数Ｎｆｒｅｑに基づいて決定されるように構成されており、移動局ＵＥが、ＣＡを行っていない場合には、所定期間ＴＩｄｅｎｔｉｆｙ_Ｉｎｔｅｒは、測定対象の周波数のＣＣの数Ｎｆｒｅｑと測定ギャップが設定されているＣＣの数Ｍとに基づいて決定されるように構成されている。【選択図】図１１
2011166376.tif 000002
【特許請求の範囲】
【請求項１】
移動局が、無線基地局との間で、搬送波周波数が異なる複数のキャリアを用いた通信を行うことができるように構成されている移動通信システムであって、
前記移動局は、所定期間内に、前記無線基地局によって指定された測定ギャップにおいて、該無線基地局によって指定された測定対象の周波数のキャリアが用いられているセルを検出するように構成されており、
前記移動局が、前記複数のキャリアを用いた通信を行っていない場合には、前記所定期間は、前記測定対象の周波数のキャリアの数に基づいて決定されるように構成されており、
前記移動局が、前記複数のキャリアを用いた通信を行っている場合には、前記所定期間は、前記測定対象の周波数のキャリアの数と前記測定ギャップが設定されているキャリアの数とに基づいて決定されるように構成されていることを特徴とする移動通信システム。
【請求項２】
前記移動局が、前記複数のキャリアを用いた通信を行っている場合には、前記所定期間は、前記測定対象の周波数のキャリアの数と前記測定ギャップが設定されているキャリアの数と該移動局において同時に測定可能なキャリアの数と前記通信で用いられているキャリアの数とに基づいて決定されるように構成されていることを特徴とする請求項１に記載の移動通信システム。
【請求項３】
無線基地局との間で、搬送波周波数が異なる複数のキャリアを用いた通信を行うことができるように構成されている移動局であって、
所定期間内に、前記無線基地局によって指定された測定ギャップにおいて、該無線基地局によって指定された測定対象の周波数のキャリアが用いられているセルを検出するように構成されており、
前記移動局が、前記複数のキャリアを用いた通信を行っていない場合には、前記所定期間は、前記測定対象の周波数のキャリアの数に基づいて決定されるように構成されており、
前記移動局が、前記複数のキャリアを用いた通信を行っている場合には、前記所定期間は、前記測定対象の周波数のキャリアの数と前記測定ギャップが設定されているキャリアの数とに基づいて決定されるように構成されていることを特徴とする移動局。
【請求項４】
前記移動局が、前記複数のキャリアを用いた通信を行っている場合には、前記所定期間は、前記測定対象の周波数のキャリアの数と前記測定ギャップが設定されているキャリアの数と該移動局において同時に測定可能なキャリアの数と前記通信で用いられているキャリアの数とに基づいて決定されるように構成されていることを特徴とする請求項３に記載の移動局。
【請求項５】
無線基地局であって、
移動局に対して、設定すべき所定測定ギャップ及び測定対象の周波数のキャリアを指定する測定構成情報を送信するように構成されている送信部を具備し、
前記送信部は、前記移動局が、所定期間内に前記所定測定ギャップにおいて前記測定対象の周波数のキャリアが用いられているセルを検出することができるように、前記所定測定ギャップ及び前記測定対象の周波数のキャリアを決定するように構成されており、
前記移動局が、搬送波周波数が異なる複数のキャリアを用いた通信を行っている場合には、前記所定期間は、前記測定対象の周波数のキャリアの数に基づいて決定されるように構成されており、
前記移動局が、前記複数のキャリアを用いた通信を行っていない場合には、前記所定期間は、前記測定対象の周波数のキャリアの数と前記測定ギャップが設定されているキャリアの数とに基づいて決定されるように構成されていることを特徴とする無線基地局。
【請求項６】
前記移動局が、前記複数のキャリアを用いた通信を行っている場合には、前記所定期間は、前記測定対象の周波数のキャリアの数と前記測定ギャップが設定されているキャリアの数と該移動局において同時に測定可能なキャリアの数と前記通信で用いられているキャリアの数とに基づいて決定されるように構成されていることを特徴とする請求項５に記載の無線基地局。
【発明の詳細な説明】
【技術分野】
【０００１】
本発明は、移動通信方法、移動局及び無線基地局に関する。
【背景技術】
【０００２】
３ＧＰＰで仕様化が進められているＬＴＥ（Ｌｏｎｇ  Ｔｅｒｍ  Ｅｖｏｌｕｔｉｏｎ）方式では、図１３に示すように、搬送周波数Ｆ１のキャリアを用いて通信を行っている移動局ＵＥは、搬送周波数Ｆ１のキャリアにおける測定ギャップ（Ｍｅａｓｕｒｅｍｅｎｔ  Ｇａｐ）において、測定対象の周波数Ｆ２における測定（Ｍｅａｓｕｒｅｍｅｎｔ）を行うように構成されている。
【０００３】
かかる測定ギャップは、無線基地局ｅＮＢによって送信される「ＭｅａｓＣｏｎｆｉｇ」内の情報要素「ＭｅａｓＧａｐＣｏｎｆｉｇ」によって指定されるように構成されている。
【０００４】
ここで、ＬＴＥ方式では、３ＧＰＰのＴＳ３６.１３３の８.１.２.３.１.１章に、システム性能（Ｐｅｒｆｏｒｍａｎｃｅ）として、「移動局ＵＥは、所定期間ＴＩｄｅｎｔｉｆｙ_Ｉｎｔｅｒ内に、無線基地局ｅＮＢによって指定された測定ギャップにおいて、無線基地局ｅＮＢによって指定された測定対象の周波数のＣＣが用いられているセル（ｉｎｔｅｒ-ｆｒｅｑｕｅｎｃｙ  ｃｅｌｌ、異キャリアセル）を検出しなければならない」という規定を満たすことが要求されている。
【０００５】
同様に、３ＧＰＰのＴＳ３６.１３３の他の節において、無線基地局ｅＮＢによって指定された測定対象の無線アクセス方式（ＲＡＴ）が用いられているセル（ｉｎｔｅｒ-ＲＡＴ  ｃｅｌｌ、異ＲＡＴセル）を検出しなければならない」という規定を満たすことが要求されている。
【０００６】
また、３ＧＰＰで仕様化が進められているＬＴＥ-Ａｄｖａｎｃｅｄ方式では、「ＣＡ（Ｃａｒｒｉｅｒ  Ａｇｇｒｅｇａｔｉｏｎ）」についての検討が進められている。
【０００７】
ＣＡを行っている移動局ＵＥは、無線基地局ｅＮＢとの間で、搬送波周波数が異なる複数の「Ｃｏｍｐｏｎｅｎｔ  Ｃａｒｒｉｅｒ（ＣＣ）」を用いて通信を行うように構成されている。
【先行技術文献】
【非特許文献】
【０００８】
【非特許文献１】３ＧＰＰ  ＴＳ３６.１３３
【非特許文献２】３ＧＰＰ  ＴＳ３６.３３１
【発明の概要】
【発明が解決しようとする課題】
【０００９】
しかしながら、上述の規定は、移動局ＵＥがＣＡを行っていない場合を想定して設けられているものであるため、移動局ＵＥがＣＡを行っている場合には、上述の規定を満たす場合であっても、ＬＴＥ方式において所望するシステム性能を実現することができないという問題点があった。
【００１０】
そこで、本発明は、上述の課題に鑑みてなされたものであり、移動局ＵＥがＣＡを行っているか否かに関わらず、ＬＴＥ方式において所望するシステム性能を実現することができる移動通信方法、移動局及び無線基地局を提供することを目的とする。
【課題を解決するための手段】
【００１１】
本発明の第１の特徴は、移動局が、無線基地局との間で、搬送波周波数が異なる複数のキャリアを用いた通信を行うことができるように構成されている移動通信システムであって、前記移動局は、所定期間内に、前記無線基地局によって指定された測定ギャップにおいて、該無線基地局によって指定された測定対象の周波数のキャリアが用いられているセルを検出するように構成されており、前記移動局が、前記複数のキャリアを用いた通信を行っていない場合には、前記所定期間は、前記測定対象の周波数のキャリアの数に基づいて決定されるように構成されており、前記移動局が、前記複数のキャリアを用いた通信を行っている場合には、前記所定期間は、前記測定対象の周波数のキャリアの数と前記測定ギャップが設定されているキャリアの数とに基づいて決定されるように構成されていることを要旨とする。
【００１２】
本発明の第２の特徴は、無線基地局との間で、搬送波周波数が異なる複数のキャリアを用いた通信を行うことができるように構成されている移動局であって、所定期間内に、前記無線基地局によって指定された測定ギャップにおいて、該無線基地局によって指定された測定対象の周波数のキャリアが用いられているセルを検出するように構成されており、前記移動局が、前記複数のキャリアを用いた通信を行っていない場合には、前記所定期間は、前記測定対象の周波数のキャリアの数に基づいて決定されるように構成されており、前記移動局が、前記複数のキャリアを用いた通信を行っている場合には、前記所定期間は、前記測定対象の周波数のキャリアの数と前記測定ギャップが設定されているキャリアの数とに基づいて決定されるように構成されていることを要旨とする。
【００１３】
本発明の第３の特徴は、無線基地局であって、移動局に対して、設定すべき所定測定ギャップ及び測定対象の周波数のキャリアを指定する測定構成情報を送信するように構成されている送信部を具備し、前記送信部は、前記移動局が、所定期間内に前記所定測定ギャップにおいて前記測定対象の周波数のキャリアが用いられているセルを検出することができるように、前記所定測定ギャップ及び前記測定対象の周波数のキャリアを決定するように構成されており、前記移動局が、搬送波周波数が異なる複数のキャリアを用いた通信を行っていない場合には、前記所定期間は、前記測定対象の周波数のキャリアの数に基づいて決定されるように構成されており、前記移動局が、前記複数のキャリアを用いた通信を行っている場合には、前記所定期間は、前記測定対象の周波数のキャリアの数と前記測定ギャップが設定されているキャリアの数とに基づいて決定されるように構成されていることを要旨とする。
【発明の効果】
【００１４】
以上説明したように、本発明によれば、移動局ＵＥがＣＡを行っているか否かに関わらず、ＬＴＥ方式において所望するシステム性能を実現することができる移動通信方法、移動局及び無線基地局を提供することができる。
【図面の簡単な説明】
【００１５】
【図１】本発明の第１の実施形態に係る移動通信システムの全体構成図である。
【図２】本発明の第１の実施形態に係る移動通信システムで行われるＣＡについて説明するための図である。
【図３】本発明の第１の実施形態に係る無線基地局の機能ブロック図である。
【図４】本発明の第１の実施形態に係る無線基地局ｅＮＢによって送信される「ＭｅａｓＣｏｎｆｉｇ」に含まれる情報要素の一例を示す図である。
【図５】本発明の第１の実施形態に係る無線基地局ｅＮＢによって送信される「ＭｅａｓＣｏｎｆｉｇ」内の「ＭｅａｓＧａｐＣｏｎｆｉｇ」に含まれる情報要素の一例を示す図である。
【図６】本発明の第１の実施形態に係る無線基地局ｅＮＢによって送信される「ＭｅａｓＣｏｎｆｉｇ」内の「ＭｅａｓＧａｐＣｏｎｆｉｇＬｉｓｔ-ｒ１０」に含まれる情報要素の一例を示す図である。
【図７】本発明の第１の実施形態に係る移動局の機能ブロック図である。
【図８】本発明の第１の実施形態に係る移動局によって行われるｉｎｔｅｒ-Ｆ/ＲＡＴ測定の一例について説明するための図である。
【図９】本発明の第１の実施形態に係る移動局によって行われるｉｎｔｅｒ-Ｆ/ＲＡＴ測定の一例について説明するための図である。
【図１０】本発明の第１の実施形態に係る移動局によって行われるｉｎｔｅｒ-Ｆ/ＲＡＴ測定の一例について説明するための図である。
【図１１】本発明の第１の実施形態に係る移動通信システムにおける性能規定の一例について説明するための図である。
【図１２】本発明の第１の実施形態に係る移動通信システムにおける性能規定の一例について説明するための図である。
【図１３】従来の移動局によって行われるｉｎｔｅｒ-Ｆ/ＲＡＴ測定の一例について説明するための図である。
【発明を実施するための形態】
【００１６】
（本発明の第１の実施形態に係る移動通信システム）
図１乃至図１２を参照して、本発明の第１の実施形態に係る移動通信システムについて説明する。本実施形態に係る移動通信システムは、ＬＴＥ-Ａｄｖａｎｃｅｄ方式の移動通信システムである。
【００１７】
図１に示すように、本実施形態に係る移動通信システムでは、移動局ＵＥは、無線基地局ｅＮＢに対して、ＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）を介して制御信号を送信し、ＰＵＳＣＨ（Ｐｈｙｓｉｃａｌ  Ｕｐｌｉｎｋ  Ｃｏｎｔｒｏｌ  Ｃｈａｎｎｅｌ、物理上りリンク共有チャネル）を介してデータ信号を送信するように構成されている。
【００１８】
また、本実施形態に係る移動通信システムでは、無線基地局ｅＮＢは、移動局ＵＥに対して、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を介して制御信号を送信し、ＰＤＳＣＨ（Ｐｈｙｓｉｃａｌ  Ｄｏｗｎｌｉｎｋ  Ｃｏｎｔｒｏｌ  Ｃｈａｎｎｅｌ、物理下りリンク共有チャネル）を介してデータ信号を送信するように構成されている。
【００１９】
また、図２に示すように、本実施形態に係る移動通信システムでは、搬送周波数Ｆ１乃至Ｆ５の複数のＣＣが用いられるように構成されている。ここで、本実施形態に係る移動通信システムでは、移動局ＵＥは、所定数のＣＣ（図２の例では、例えば、搬送周波数Ｆ１乃至Ｆ３の３つのＣＣ）を用いたＣＡを行うことができる。
【００２０】
図３に示すように、無線基地局ｅＮＢは、送信部１１と、受信部１２と、制御部１３とを具備している。
【００２１】
送信部１１は、移動局ＵＥに対して、ＰＤＳＣＨを介して、ＲＲＣ（Ｒａｄｉｏ  Ｒｅｓｏｕｒｃｅ  Ｃｏｎｔｒｏｌ）情報要素として、「ＭｅａｓＣｏｎｆｉｇ」を送信するように構成されている。
【００２２】
図４に、かかる「ＭｅａｓＣｏｎｆｉｇ」に含まれる情報要素の一例を示す。
【００２３】
ここで、送信部１１は、情報要素「ＭｅａｓＯｂｊｅｃｔＴｏＲｅｍｏｖｅＬｉｓｔ」及び「ＭｅａｓＯｂｊｅｃｔＴｏＡｄｄＭｏｄＬｉｓｔ」によって、移動局ＵＥにおける測定対象の周波数を指定するように構成されている。
【００２４】
また、送信部１１は、情報要素「ＲｅｐｏｒｔＣｏｎｆｉｇＴｏＲｅｍｏｖｅＬｉｓｔ」や「ＲｅｐｏｒｔＣｏｎｆｉｇＴｏＡｄｄＭｏｄＬｉｓｔ」によって、移動局ＵＥにおける測定報告（Ｍｅａｓｕｒｅｍｅｎｔ  Ｒｅｐｏｒｔ）の送信条件を指定するように構成されている。
【００２５】
また、送信部１１は、ＬＴＥ方式（Ｒｅｌ.８/Ｒｅｌ.９）に対応している移動局ＵＥに対して、情報要素「ＭｅａｓＧａｐＣｏｎｆｉｇ（図４に示すＡ）」によって、移動局ＵＥにおいて設定すべき測定ギャップを指定するように構成されている。
【００２６】
具体的には、送信部１１は、図５に示すように、「ＭｅａｓＧａｐＣｏｎｆｉｇ」内の情報要素「ｇａｐＯｆｆｓｅｔ」に「ｇｐ０」又は「ｇｐ１」のいずれかを設定するように構成されている。
【００２７】
ここで、「ｇａｐＯｆｆｓｅｔ」に「ｇｐ０」が設定されている場合、測定ギャップの周期は「４０ｍｓ」となり、測定ギャップの開始位置は「ＩＮＴＥＧＥＲ」に設定されている値（０〜３９）によって特定されるサブフレームとなる。
【００２８】
一方、「ｇａｐＯｆｆｓｅｔ」に「ｇｐ１」が設定されている場合、測定ギャップの周期は「８０ｍｓ」となり、測定ギャップの開始位置は「ＩＮＴＥＧＥＲ」に設定されている値（０〜７９）によって特定されるサブフレームとなる。
【００２９】
なお、ＬＴＥ方式（Ｒｅｌ.８/Ｒｅｌ.９）に対応している移動局ＵＥは、ＣＡに対応していないため、すなわち、複数のＣＣを用いて通信を行うことができないため、無線基地局ｅＮＢは、「ＭｅａｓＧａｐＣｏｎｆｉｇ」において、測定ギャップを設定すべきＣＣを特定する必要がない。
【００３０】
これに対して、送信部１１は、ＬＴＥ方式（Ｒｅｌ.１０）に対応している移動局ＵＥに対して、情報要素「ＭｅａｓＧａｐＣｏｎｆｉｇＬｉｓｔ-ｒ１０（図４に示すＢ）」によって、移動局ＵＥにおいて設定すべき測定ギャップを指定するように構成されている。
【００３１】
ここで、ＬＴＥ方式（Ｒｅｌ.１０）に対応している移動局ＵＥが、ＣＡを行っている場合にのみ、送信部１１は、「ＭｅａｓＧａｐＣｏｎｆｉｇＬｉｓｔ-ｒ１０（図４に示すＢ）」によって、移動局ＵＥにおいて設定すべき測定ギャップを指定するように構成されていてもよい。
【００３２】
すなわち、ＬＴＥ方式（Ｒｅｌ.１０）に対応している移動局ＵＥが、ＣＡを行っていない場合には、送信部１１は、「ＭｅａｓＧａｐＣｏｎｆｉｇ（図４に示すＡ）」によって、移動局ＵＥにおいて設定すべき測定ギャップを指定するように構成されていてもよい。
【００３３】
具体的には、送信部１１は、図６に示すように、「ＭｅａｓＧａｐＣｏｎｆｉｇＬｉｓｔ-ｒ１０」内の情報要素「ｃｃ-ｉｄ」に、測定ギャップを設定すべきＣＣの識別情報を指定するように構成されている。
【００３４】
なお、「ＭｅａｓＧａｐＣｏｎｆｉｇＬｉｓｔ-ｒ１０」に設定される情報要素「ＭｅａｓＧａｐＣｏｎｆｉｇ」は、図５に示す情報要素「ＭｅａｓＧａｐＣｏｎｆｉｇ」と同一である。
【００３５】
したがって、送信部１１は、「ＭｅａｓＧａｐＣｏｎｆｉｇＬｉｓｔ-ｒ１０」内の情報要素「ｃｃ-ｉｄ」及び「ＭｅａｓＧａｐＣｏｎｆｉｇ」によって、ＣＣと測定ギャップ（周期及び開始位置）との組み合わせを指定することによって、移動局ＵＥにおいて設定すべき測定ギャップを指定することができる。
【００３６】
なお、図６の例では、「ＭｅａｓＧａｐＣｏｎｆｉｇＬｉｓｔ-ｒ１０」には、最大で８個のＣＣと測定ギャップ（周期及び開始位置）との組み合わせが設定可である。
【００３７】
また、「ＭｅａｓＧａｐＣｏｎｆｉｇＬｉｓｔ-ｒ１０」で指定される「ＭｅａｓＧａｐＣｏｎｆｉｇ」は、複数のＣＣで共通であってもよい。すなわち、同じ測定ギャップの周期と開始位置が、複数のＣＣに共通に適用されてもよい。また、測定ギャップの開始位置が、ＣＣごとに固定的にずれるように構成されていてもよい。
【００３８】
受信部１２は、移動局ＵＥによって送信された「Ｍｅａｓｕｒｅｍｅｎｔ  Ｒｅｐｏｒｔ」を受信するように構成されている。
【００３９】
制御部１３は、受信部１２によって受信された「Ｍｅａｓｕｒｅｍｅｎｔ  Ｒｅｐｏｒｔ」に基づいて、移動局ＵＥがハンドオーバすべきであるか否かについて判定するように構成されている。
【００４０】
また、制御部１３は、送信部１１に対して、移動局ＵＥがＬＴＥ方式（Ｒｅｌ.１０）に対応しているか否かについて、或いは、移動局ＵＥがＣＡを行っているか否かについて通知するように構成されている。
【００４１】
図７に示すように、移動局ＵＥは、受信部２１と、測定部２２と、送信部２３とを具備している。
【００４２】
受信部２１は、無線基地局ｅＮＢによって送信された「ＭｅａｓＣｏｎｆｉｇ」を受信するように構成されている。
【００４３】
測定部２２は、無線基地局ｅＮＢによって送信された「ＭｅａｓＣｏｎｆｉｇ」に基づいて、無線基地局ｅＮＢによって指定された測定（Ｍｅａｓｕｒｅｍｅｎｔ）を行うように構成されている。
【００４４】
具体的には、測定部２２は、「ＭｅａｓＣｏｎｆｉｇ」によって指定された測定ギャップにおいて、「ＭｅａｓＣｏｎｆｉｇ」によって指定された測定対象の周波数における測定を行うように構成されている。
【００４５】
例えば、移動局ＵＥが、搬送周波数Ｆ１乃至Ｆ３のキャリアを用いたＣＡを行っている場合に、「ＭｅａｓＣｏｎｆｉｇ」によって測定対象の周波数として「Ｆ４」が指定され、「ＭｅａｓＣｏｎｆｉｇ」によって搬送周波数Ｆ２のＣＣにおいて測定ギャップを設定すべきであると指定された場合（すなわち、「ＭｅａｓＧａｐＣｏｎｆｉｇＬｉｓｔ-ｒ１０」内に「ｃｃ-ｉｄ＝Ｆ２」が設定されている場合）には、測定部２２は、図８に示すように、搬送周波数Ｆ２のＣＣにおける測定ギャップにおいて、周波数Ｆ４における測定を行うように構成されている。
【００４６】
また、移動局ＵＥが、搬送周波数Ｆ１乃至Ｆ３のキャリアを用いたＣＡを行っている場合に、「ＭｅａｓＣｏｎｆｉｇ」によって測定対象の周波数として「Ｆ４」及び「Ｆ５」が指定され、「ＭｅａｓＣｏｎｆｉｇ」によって搬送周波数Ｆ２のＣＣにおいて測定ギャップを設定すべきであると指定された場合（すなわち、「ＭｅａｓＧａｐＣｏｎｆｉｇＬｉｓｔ-ｒ１０」内に「ｃｃ-ｉｄ＝Ｆ２」が設定されている場合）には、測定部２２は、図９に示すように、搬送周波数Ｆ２のＣＣにおける測定ギャップにおいて、周波数Ｆ４及びＦ５における測定を行うように構成されている。
【００４７】
さらに、移動局ＵＥが、搬送周波数Ｆ１乃至Ｆ３のキャリアを用いたＣＡを行っている場合に、「ＭｅａｓＣｏｎｆｉｇ」によって測定対象の周波数として「Ｆ４」及び「Ｆ５」が指定され、「ＭｅａｓＣｏｎｆｉｇ」によって搬送周波数Ｆ２及びＦ３のＣＣにおいて測定ギャップを設定すべきであると指定された場合（すなわち、「ＭｅａｓＧａｐＣｏｎｆｉｇＬｉｓｔ-ｒ１０」内に「ｃｃ-ｉｄ＝Ｆ２」及び「ｃｃ-ｉｄ＝Ｆ３」が設定されている場合）には、測定部２２は、図１０に示すように、搬送周波数Ｆ２及びＦ３のＣＣにおける測定ギャップにおいて、周波数Ｆ４及びＦ５における測定を行うように構成されている。
【００４８】
ここで、測定部２２は、ＣＡ対象のＣＣから特定のＣＣが削除された場合には、かかる特定のＣＣに適用されていた測定ギャップについては暗示的に解除するように構成されていてもよい。
【００４９】
送信部２３は、上述の測定結果が「ＭｅａｓＣｏｎｆｉｇ」によって指定された報告条件を満たした場合、無線基地局ｅＮＢに対して、かかる測定結果を含む「Ｍｅａｓｕｒｅｍｅｎｔ  Ｒｅｐｏｒｔ」を送信するように構成されている。
【００５０】
なお、本実施形態に係る移動通信システムでは、３ＧＰＰのＴＳ３６.１３３の８.１.２.３.１.１章に示す規定を満たすように、移動局ＵＥは、所定期間ＴＩｄｅｎｔｉｆｙ_Ｉｎｔｅｒ内に、無線基地局ｅＮＢによって指定された測定ギャップにおいて、無線基地局ｅＮＢによって指定された測定対象の周波数のＣＣが用いられているセル（異キャリアセル）を検出するように構成されている。
【００５１】
ここで、移動局ＵＥが、ＣＡを行っていない場合には、所定期間ＴＩｄｅｎｔｉｆｙ_Ｉｎｔｅｒは、測定対象の周波数のＣＣの数Ｎｆｒｅｑに基づいて決定されるように構成されている。
【００５２】
具体的には、かかる場合、所定期間ＴＩｄｅｎｔｉｆｙ_Ｉｎｔｅｒは、図１１に示す（式１）によって決定されるように構成されている。（式１）において、「ＴＢａｓｉｃ_Ｉｄｅｎｔｉｆｙ_Ｉｎｔｅｒ」は、４８０ｍｓであり、「ＴＩｎｔｅｒ１」は、図１２に示すように、測定ギャップの周期（ｇａｐ  ｐａｔｔｅｒｎ）によって決定される値である。例えば、図１２に示すように、測定ギャップの周期が「４０ｍｓ」である場合、「ＴＩｎｔｅｒ１」は「６０ｍｓ」であり、測定ギャップの周期が「８０ｍｓ」である場合、「ＴＩｎｔｅｒ１」は「３０ｍｓ」である。
【００５３】
一方、移動局ＵＥが、ＣＡを行っていない場合には、所定期間ＴＩｄｅｎｔｉｆｙ_Ｉｎｔｅｒは、測定対象の周波数のＣＣの数Ｎｆｒｅｑと測定ギャップが設定されているＣＣの数Ｍとに基づいて決定されるように構成されている。
【００５４】
具体的には、かかる場合、所定期間ＴＩｄｅｎｔｉｆｙ_Ｉｎｔｅｒは、図１１に示す（式２）によって決定されるように構成されている。
【００５５】
或いは、移動局ＵＥが、ＣＡを行っていない場合には、所定期間ＴＩｄｅｎｔｉｆｙ_Ｉｎｔｅｒは、測定対象の周波数のＣＣの数Ｎｆｒｅｑと測定ギャップが設定されているＣＣの数Ｍと移動局ＵＥにおいて同時に測定可能なＣＣの数ＰとＣＡで用いられているＣＣの数（すなわち、ＣＡにおいてａｇｇｒｉｇａｔｅ中のＣＣの数）Ｑとに基づいて決定されるように構成されていてもよい。
【００５６】
具体的には、かかる場合、所定期間ＴＩｄｅｎｔｉｆｙ_Ｉｎｔｅｒは、図１１に示す（式３）によって決定されるように構成されている。
【００５７】
例えば、移動局ＵＥにおいて同時に測定可能なＣＣの数Ｐは、移動局ＵＥに設けられている受信機の数と表現されてもよいし、ＣＡにおいて使用可能なＣＣの数（すなわち、ＣＡにおいてａｇｇｒｉｇａｔｅ可能なＣＣの数）と表現されてもよい。
【００５８】
なお、（式３）における「Ｐ−Ｑ＋Ｍ」は、実際に異キャリア測定に使用可能な未使用の受信機の数である。
【００５９】
かかる規定を満たすために、無線基地局ｅＮＢの送信部１１は、移動局ＵＥが、所定期間ＴＩｄｅｎｔｉｆｙ_Ｉｎｔｅｒ内に所定測定ギャップにおいて測定対象の周波数のＣＣが用いられているセルを検出することができるように、所定測定ギャップ及び測定対象の周波数のＣＣを決定するように構成されていてもよい。
【００６０】
本実施形態に係る移動通信システムによれば、移動局ＵＥがＣＡを行っていない場合に使用する所定期間ＴＩｄｅｎｔｉｆｙ_Ｉｎｔｅｒの算出方法と、移動局ＵＥがＣＡを行っている場合に使用する所定期間ＴＩｄｅｎｔｉｆｙ_Ｉｎｔｅｒの算出方法とを切り替えることによって、移動局ＵＥがＣＡを行っているか否かに関わらず、ＬＴＥ方式において所望するシステム性能を実現することができる。
【００６１】
以上に述べた本実施形態の特徴は、以下のように表現されていてもよい。
【００６２】
本実施形態の第１の特徴は、移動局ＵＥが、無線基地局ｅＮＢとの間で、搬送波周波数が異なる複数のＣＣ（キャリア）を用いた通信（ＣＡ）を行うことができるように構成されている移動通信システムであって、移動局ＵＥは、所定期間ＴＩｄｅｎｔｉｆｙ_Ｉｎｔｅｒ内に、無線基地局ｅＮＢによって指定された測定ギャップにおいて、無線基地局ｅＮＢによって指定された測定対象の周波数のＣＣが用いられているセルを検出するように構成されており、移動局ＵＥが、ＣＡを行っていない場合には、所定期間ＴＩｄｅｎｔｉｆｙ_Ｉｎｔｅｒは、測定対象の周波数のＣＣの数Ｎｆｒｅｑに基づいて決定されるように構成されており、移動局ＵＥが、ＣＡを行っている場合には、所定期間ＴＩｄｅｎｔｉｆｙ_Ｉｎｔｅｒは、測定対象の周波数のＣＣの数Ｎｆｒｅｑと測定ギャップが設定されているＣＣの数Ｍとに基づいて決定されるように構成されていることを要旨とする。
【００６３】
本実施形態の第１の特徴において、移動局ＵＥが、ＣＡを行っている場合には、所定期間ＴＩｄｅｎｔｉｆｙ_Ｉｎｔｅｒは、測定対象の周波数のＣＣの数Ｎｆｒｅｑと測定ギャップが設定されているＣＣの数Ｍと移動局ＵＥにおいて同時に測定可能なＣＣの数ＰとＣＡで用いられているＣＣの数Ｑとに基づいて決定されるように構成されていてもよい。
【００６４】
本実施形態の第２の特徴は、無線基地局ｅＮＢとの間で、ＣＡを行うことができるように構成されている移動局ＵＥであって、所定期間ＴＩｄｅｎｔｉｆｙ_Ｉｎｔｅｒ内に、無線基地局ｅＮＢによって指定された測定ギャップにおいて、無線基地局ｅＮＢによって指定された測定対象の周波数のＣＣが用いられているセルを検出するように構成されており、移動局ＵＥが、ＣＡを行っていない場合には、所定期間ＴＩｄｅｎｔｉｆｙ_Ｉｎｔｅｒは、測定対象の周波数のＣＣの数Ｎｆｒｅｑに基づいて決定されるように構成されており、移動局ＵＥが、ＣＡを行っている場合には、所定期間ＴＩｄｅｎｔｉｆｙ_Ｉｎｔｅｒは、測定対象の周波数のＣＣの数Ｎｆｒｅｑと測定ギャップが設定されているＣＣの数Ｍとに基づいて決定されるように構成されていることを要旨とする。
【００６５】
本実施形態の第２の特徴において、移動局ＵＥが、ＣＡを行っている場合には、所定期間ＴＩｄｅｎｔｉｆｙ_Ｉｎｔｅｒは、測定対象の周波数のＣＣの数Ｎｆｒｅｑと測定ギャップが設定されているＣＣの数Ｍと移動局ＵＥにおいて同時に測定可能なＣＣの数ＰとＣＡで用いられているＣＣの数Ｑとに基づいて決定されるように構成されていてもよい。
【００６６】
本実施形態の第３の特徴は、無線基地局ｅＮＢであって、移動局ＵＥに対して、設定すべき所定測定ギャップ及び測定対象の周波数のＣＣを指定する「ＭｅａｓＣｏｎｆｉｇ（測定構成情報）」を送信するように構成されている送信部１１を具備し、送信部１１は、移動局ＵＥが、所定期間ＴＩｄｅｎｔｉｆｙ_Ｉｎｔｅｒ内に所定測定ギャップにおいて測定対象の周波数のＣＣが用いられているセルを検出することができるように、所定測定ギャップ及び測定対象の周波数のＣＣを決定するように構成されており、移動局ＵＥが、ＣＡを行っていない場合には、所定期間ＴＩｄｅｎｔｉｆｙ_Ｉｎｔｅｒは、測定対象の周波数のＣＣの数Ｎｆｒｅｑに基づいて決定されるように構成されており、移動局ＵＥが、ＣＡを行っている場合には、所定期間ＴＩｄｅｎｔｉｆｙ_Ｉｎｔｅｒは、測定対象の周波数のＣＣの数Ｎｆｒｅｑと測定ギャップが設定されているＣＣの数Ｍとに基づいて決定されるように構成されていることを要旨とする。
【００６７】
本実施形態の第３の特徴において、移動局ＵＥが、ＣＡを行っている場合には、所定期間ＴＩｄｅｎｔｉｆｙ_Ｉｎｔｅｒは、測定対象の周波数のＣＣの数Ｎｆｒｅｑと測定ギャップが設定されているＣＣの数Ｍと移動局ＵＥにおいて同時に測定可能なＣＣの数ＰとＣＡで用いられているＣＣの数Ｑとに基づいて決定されるように構成されていてもよい。
【００６８】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【００６９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００７１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００７２】
ＵＥ…移動局
ｅＮＢ…無線基地局
１１、２３…送信部
１２、２１…受信部
１３…制御部
２２…測定部
【図１】
2011166376.tif 000003
【図２】
2011166376.tif 000004
【図３】
2011166376.tif 000005
【図４】
2011166376.tif 000006
【図５】
2011166376.tif 000007
【図６】
2011166376.tif 000008
【図７】
2011166376.tif 000009
【図８】
2011166376.tif 000010
【図９】
2011166376.tif 000011
【図１０】
2011166376.tif 000012
【図１１】
2011166376.tif 000013
【図１２】
2011166376.tif 000014
【図１３】
2011166376.tif 000015